(57)【特許請求の範囲】
【請求項１】
制御データに基づいてスレーブ制御データを生成し、このスレーブ制御データをスレーブ機器に伝送するスレーブマイコンと、前記制御データをスレーブマイコンに伝送するマスタマイコンとを有するラジオ機能を備えたオーディオ装置であって、
前記マスタマイコンは、
前記制御データをスレーブマイコンに伝送する制御データ伝送手段と、
前記スレーブマイコンに伝送すべき制御データに変化があるか否かを判定するマスタ側変化判定手段と、
現在受信中の放送電波に関わる電界強度を検出する電界強度検出手段と、
この電界強度検出手段にて検出された放送電波の電界強度が所定値以下であるか否かを判定する電界強度判定手段と、
前記マスタ側変化判定手段にて制御データに変化があると判定されると、この制御データを制御データ伝送手段を介してスレーブマイコンに伝送すると共に、
前記マスタ側変化判定手段にて制御データに変化がないと判定されると、この制御データを所定時間経過後に制御データ伝送手段を介してスレーブマイコンに伝送すると共に、
前記制御データ変化判定手段にて制御データに変化がないと判定され、さらには前記電界強度判定手段にて現在受信中の電界強度が所定値以下と判定されると、制御データ伝送手段による制御データの伝送動作を禁止するマスタ側制御手段とを有し、
前記スレーブマイコンは、
前記制御データ伝送手段にて伝送された制御データに変化があるか否かを判定するスレーブ側変化判定手段と、
このスレーブ側変化判定手段にて制御データに変化があると判定されたときにのみ、制御データに基づいてスレーブ制御データを生成するスレーブ側制御手段とを有することを特徴とするオーディオ装置。
【請求項２】
制御データに基づいてスレーブ制御データを生成し、このスレーブ制御データをスレーブ機器に伝送するスレーブマイコンと、前記制御データをスレーブマイコンに伝送するマスタマイコンとを有するラジオ機能を備えたオーディオ装置であって、
前記マスタマイコンは、
前記制御データをスレーブマイコンに伝送する制御データ伝送手段と、
前記スレーブマイコンに伝送すべき制御データに変化があるか否かを判定するマスタ側変化判定手段と、
現在受信中の放送電波に関わる電界強度を検出する電界強度検出手段と、
この電界強度検出手段にて検出された放送電波の電界強度が所定値以下であるか否かを判定する電界強度判定手段と、
このマスタ側変化判定手段にて制御データに変化があると判定されると、この制御データを制御データ伝送手段を介してスレーブマイコンに伝送すると共に、
前記マスタ側変化判定手段にて制御データに変化がないと判定されると、この制御データを所定時間経過後に制御データ伝送手段を介してスレーブマイコンに伝送すると共に、
前記マスタ側変化判定手段にて制御データに変化がないと判定され、さらには前記電界強度判定手段にて現在受信中の電界強度が所定値以下と判定されると、制御データ伝送手段による制御データの伝送動作を禁止するマスタ側制御手段とを有し、
前記スレーブマイコンは、
所定受信周波数を記憶する記憶手段と、
現在受信中の放送電波が所定受信周波数であるか否かを判定する周波数監視手段と、
この周波数監視手段にて現在受信中の放送電波が所定受信周波数であると判定されると、前記制御データ伝送手段からの制御データに基づくスレーブ制御データを、通常よりも遅い通信速度でスレーブ機器に伝送するスレーブ側制御手段とを有することを特徴とするオーディオ装置。
【発明の詳細な説明】
【０００１】
【発明の属する技術分野】
本発明は、装置内部のラジオチューナ受信機に影響を及ぼすような、例えば通信ラインやアドレスライン上で発生する通信ノイズ、いわゆる干渉ノイズを低減する機能を備えたオーディオ装置に関する。
【０００２】
【従来の技術】
図９は従来のラジオチューナ機能を備えたオーディオ装置内部の概略構成を示すブロック図である。
【０００３】
図９に示すオーディオ装置５０としては、到来する所望の放送電波を受信アンテナ５１にて受信するチューナ受信機５２と、このチューナ受信機５２で受信すべき所望の放送電波に同調させるための局部発振周波数を出力するＰＬＬ回路５３と、この装置に関わる音声信号を音量調整する電子ボリューム５４と、この電子ボリューム５４にて音量調整された音声信号を増幅するアンプ部５５と、このアンプ部５５にて増幅された音声信号を音声出力するスピーカ５６と、ＣＤを再生するＣＤメカ機構５７と、このＣＤメカ機構５７を制御するＣＤメカマイコン５８と、このＣＤメカ機構５８にローディング中のＣＤをイジェクトさせるイジェクトスイッチ５９と、様々な情報を表示する液晶表示部（ＬＣＤ）６０と、この液晶表示部６０を駆動制御する表示ドライバ６１と、表示画像データ格納アドレス毎に画像データを記憶する表示ＲＯＭ６２と、この表示ＲＯＭ６２を制御する表示マイコン６３と、このオーディオ装置５０全体を制御するマスタマイコン６４とを有している。
【０００４】
また、このマスタマイコン６４は、前記チューナ受信機５２にて受信中の放送電波の電界強度をＳメータとして検出し、このＳメータに基づいて現在の受信状況を認識するものである。
【０００５】
また、前記表示マイコン６３、表示ＲＯＭ６２、表示ドライバ６１及び液晶表示器６０には、干渉ノイズを低減するためのシールド部材６５でシールドされるような構成にしてある。
【０００６】
このように従来のオーディオ装置５０のマスタマイコン６４は、例えばチューナ受信機５２にて弱電界の放送電波を受信すると、現在受信中の放送電波に対応するＳメータを検出し、このＳメータに対応する表示データを表示マイコン６３に伝送する。
【０００７】
この表示マイコン６３は、この表示データに基づく表示画像データ格納アドレスを、アドレスライン６６を介して表示ＲＯＭ６２に伝送する。この表示ＲＯＭ６２は、前記表示画像データ格納アドレスに基づいて画像データを検索し、この画像データに基づいて表示ドライバ６１を介して液晶表示部６０に画像表示する。
【０００８】
従って、従来のオーディオ装置５０によれば、現在受信中の放送電波に関わる電界強度を液晶表示部６０に画像表示するようにしたので、ユーザーは、この表示内容によって現在受信中の放送電波に関わる受信状況を認識することができる。
【０００９】
しかしながら、このようなオーディオ装置５０においては、例えば表示マイコン６３及び表示ＲＯＭ６２間のアドレスライン６６や通信ラインにおいて、表示画像データ格納アドレス等の伝送時に５Ｖ及び０Ｖの通信動作を繰り返すことによって通信ノイズが発生するため、この通信ノイズがチューナ受信機５２に影響を及ぼして干渉ノイズとなってしまう。
【００１０】
そこで、この干渉ノイズを低減する対策としては、影響する受信周波数ポイント毎にＧＮＤパターンを変更したり、図１０（ａ）に示すように表示マイコン６３及び表示ＲＯＭ６２間のノイズ発生源であるアドレスライン６６に、図１０（ｂ）に示すような抵抗Ｒ、コンデンサＣ、コイルＬ等のノイズ防止部品から成るフィルタ回路６７を追加配置したり、さらには前述したように全体的にシールドするようなシールド部材６５を設けることにより、チューナ受信機５２に影響を及ぼす干渉ノイズを低減するようにしていた。
【００１１】
【発明が解決しようとする課題】
しかしながら、このような従来のオーディオ装置によれば、干渉ノイズの影響を受けるチューナ受信機５２の受信周波数は複数存在するので、一か所のＧＮＤパターンを変更したとしても、全ての受信周波数で干渉ノイズの影響がなくなるわけではなく、全ての受信周波数での干渉ノイズの影響をなくすためには非常に手間がかかるといった問題点があった。
【００１２】
また、このような従来のオーディオ装置によれば、図１０（ａ）に示すように表示マイコン６３及び表示ＲＯＭ６２間のアドレスライン６６にフィルタ回路６７を配置したり、前記表示マイコン６３、表示ＲＯＭ６２、表示ドライバ６１及び液晶表示部６０をシールド部材６７によって全体的にシールドすることにより、チューナ受信機５２に影響を及ぼす干渉ノイズを低減するようにしたが、部品コストが上がり、しかも部品コストのわりには干渉ノイズを低減することができないといった問題点があった。
【００１３】
本発明は上記問題点に鑑みてなされたものであり、その目的とするところは、部品コスト及び作業手間をかけることなく、確実に干渉ノイズを低減することができるオーディオ装置を提供することにある。
【００１４】
【課題を解決するための手段】
上記目的を達成するために本発明における請求項１記載のオーディオ装置は、制御データに基づいてスレーブ制御データを生成し、このスレーブ制御データをスレーブ機器に伝送するスレーブマイコンと、前記制御データをスレーブマイコンに伝送するマスタマイコンとを有するラジオ機能を備えたオーディオ装置であって、前記マスタマイコンは、前記制御データをスレーブマイコンに伝送する制御データ伝送手段と、前記スレーブマイコンに伝送すべき制御データに変化があるか否かを判定するマスタ側変化判定手段と、現在受信中の放送電波に関わる電界強度を検出する電界強度検出手段と、この電界強度検出手段にて検出された放送電波の電界強度が所定値以下であるか否かを判定する電界強度判定手段と、前記マスタ側変化判定手段にて制御データに変化があると判定されると、この制御データを制御データ伝送手段を介してスレーブマイコンに伝送すると共に、前記マスタ側変化判定手段にて制御データに変化がないと判定されると、この制御データを所定時間経過後に制御データ伝送手段を介してスレーブマイコンに伝送すると共に、前記制御データ変化判定手段にて制御データに変化がないと判定され、さらには前記電界強度判定手段にて現在受信中の電界強度が所定値以下と判定されると、制御データ伝送手段による制御データの伝送動作を禁止するマスタ側制御手段とを有し、前記スレーブマイコンは、前記制御データ伝送手段にて伝送された制御データに変化があるか否かを判定するスレーブ側変化判定手段と、このスレーブ側変化判定手段にて制御データに変化があると判定されたときにのみ、制御データに基づいてスレーブ制御データを生成するスレーブ側制御手段とを有することを特徴とする。
【００１５】
前記オーディオ装置とは、ラジオ受信機を有し、例えば液晶表示器に画像データを表示させる表示ＲＯＭ等のスレーブ機器を備えた装置に相当するものである。
【００１６】
前記スレーブマイコンは、例えば液晶表示器に画像を表示させるための画像データを格納した表示ＲＯＭを制御する表示マイコンに相当するものである。
【００１７】
前記マスタマイコンは、このオーディオ装置全体を制御するマイコンに相当するものである。
【００１８】
前記マスタマイコンがスレーブマイコンに伝送する制御データとは、例えば現在の電界強度を示すＳメータを表示させるように表示マイコンを制御する表示データに相当するものである。
【００１９】
前記スレーブマイコンがスレーブ機器に伝送するスレーブ制御データとは、例えばマスタマイコンからの表示データに対応した、表示ＲＯＭの表示画像データ格納アドレスに相当するものである。
【００２０】
また、前記電界強度判定手段においては現在受信中の電界強度が所定値以下であるか否かを判定しているが、前記所定値とは、例えば１５ｄＢ程度であることが望ましい。
【００２１】
従って、本発明における請求項１記載のオーディオ装置によれば、制御データに変化があると判定されると、この制御データを制御データ伝送手段を介してスレーブマイコンに伝送すると共に、前記制御データに変化がないと判定されると、この制御データを所定時間経過後に制御データ伝送手段を介してスレーブマイコンに伝送すると共に、前記制御データに変化がないと判定され、さらには現在受信中の電界強度が所定値以下と判定されると、制御データ伝送手段による制御データの伝送動作を禁止するようにし、前記スレーブマイコンは、前記マスタマイコンからの制御データに変化があると判定されたときにのみ、制御データに基づいてスレーブ制御データを生成するようにしたので、部品コスト及び作業手間をかけることなく、スレーブマイコン及びスレーブ機器間の干渉ノイズを確実に低減することができる。
【００２２】
本発明における請求項２記載のオーディオ装置は、制御データに基づいてスレーブ制御データを生成し、このスレーブ制御データをスレーブ機器に伝送するスレーブマイコンと、前記制御データをスレーブマイコンに伝送するマスタマイコンとを有するラジオ機能を備えたオーディオ装置であって、前記マスタマイコンは、前記制御データをスレーブマイコンに伝送する制御データ伝送手段と、前記スレーブマイコンに伝送すべき制御データに変化があるか否かを判定するマスタ側変化判定手段と、現在受信中の放送電波に関わる電界強度を検出する電界強度検出手段と、この電界強度検出手段にて検出された放送電波の電界強度が所定値以下であるか否かを判定する電界強度判定手段と、このマスタ側変化判定手段にて制御データに変化があると判定されると、この制御データを制御データ伝送手段を介してスレーブマイコンに伝送すると共に、前記マスタ側変化判定手段にて制御データに変化がないと判定されると、この制御データを所定時間経過後に制御データ伝送手段を介してスレーブマイコンに伝送すると共に、前記マスタ側変化判定手段にて制御データに変化がないと判定され、さらには前記電界強度判定手段にて現在受信中の電界強度が所定値以下と判定されると、制御データ伝送手段による制御データの伝送動作を禁止するマスタ側制御手段とを有し、前記スレーブマイコンは、所定受信周波数を記憶する記憶手段と、現在受信中の放送電波が所定受信周波数であるか否かを判定する周波数監視手段と、この周波数監視手段にて現在受信中の放送電波が所定受信周波数であると判定されると、前記制御データ伝送手段からの制御データに基づくスレーブ制御データを、通常よりも遅い通信速度でスレーブ機器に伝送するスレーブ側制御手段とを有することを特徴とする。尚、本発明における請求項１記載のオーディオ装置と重複する構成については、その説明を省略するものとする。
【００２３】
前記スレーブマイコンの記憶手段に記憶中の所定周波数とは、例えば干渉ノイズの影響を受けやすい受信周波数に相当するものである。
【００２４】
前記スレーブ側制御手段によるスレーブ機器へのスレーブ制御データ伝送に関わる通信速度は、通常の場合は、例えば１３ｍｓｅｃとし、遅い場合には、例えば２０ｍｓｅｃとする。
【００２５】
従って、本発明における請求項２記載のオーディオ装置によれば、制御データに変化があると判定されると、この制御データを制御データ伝送手段を介してスレーブマイコンに伝送すると共に、前記制御データに変化がないと判定されると、この制御データを所定時間経過後に制御データ伝送手段を介してスレーブマイコンに伝送すると共に、前記制御データに変化がないと判定され、さらには現在受信中の電界強度が所定値以下と判定されると、制御データ伝送手段による制御データの伝送動作を禁止するようにし、スレーブマイコンは、現在受信中の放送電波が干渉ノイズの受けやすい所定受信周波数であると判定されると、前記制御データ伝送手段からの制御データに基づくスレーブ制御データを、通常よりも遅い通信速度でスレーブ機器に伝送するようにしたので、部品コスト及び作業手間をかけることなく、スレーブマイコン及びスレーブ機器間の干渉ノイズを確実に低減することができる。
【００２６】
【発明の実施の形態】
以下、図面に基づいて本発明の実施の形態を示すオーディオ装置について説明する。図１は本実施の形態に示すオーディオ装置内部の概略構成を示すブロック図である。
【００２７】
図１に示すオーディオ装置１０としては、到来する所望の放送電波を受信アンテナ１１にて受信するチューナ受信機１２と、このチューナ受信機１２で受信すべき所望の放送電波に同調させるための局部発振周波数を出力するＰＬＬ回路１３と、この装置に関わる音声信号を音量調整する電子ボリューム１４と、この電子ボリューム１４にて音量調整された音声信号を増幅するアンプ部１５と、このアンプ部１５にて増幅された音声信号を音声出力するスピーカ１６と、ＣＤを再生するＣＤメカ機構１７と、このＣＤメカ機構１７を制御するＣＤメカマイコン１８と、このＣＤメカ機構１８にローディング中のＣＤをイジェクトさせるイジェクトスイッチ１９と、様々な情報を表示する液晶表示部（ＬＣＤ）２０と、この液晶表示部２０を駆動制御する表示ドライバ２１と、表示画像データ格納アドレス毎に画像データを記憶する表示ＲＯＭ２２と、この表示ＲＯＭ２２を制御する表示マイコン２３と、このオーディオ装置１０全体を制御するマスタマイコン２４とを有している。
【００２８】
また、このマスタマイコン２４は、前記チューナ受信機１２にて受信中の放送電波の電界強度をＳメータとして検出し、このＳメータに基づいて現在の受信状況を認識するものである。
【００２９】
図１に示すオーディオ装置１０が図８に示すオーディオ装置５０と異なるところは、その構成において、前記表示マイコン２３、表示ＲＯＭ２２、表示ドライバ２１及び液晶表示部２０を全体的にシールドするシールド部材を設けることなく、更には前記表示マイコン２３及び表示ＲＯＭ２２間のアドレスライン２６にフィルタ回路を配置もしていない点にある。
【００３０】
図２は液晶表示部２０に画像表示される表示内容を示す説明図である。
【００３１】
図２において液晶表示部２０は、現在受信中の放送電波における電界強度をユーザーに通知するためにＳメータ表示部２０ａが画像表示するようにしてある。このＳメータ表示部２０ａにおいては、その受信電界強度が８段階に認識できるような構成にしてある。図３はＳメータ表示部２０ａのＳメータ（Ａ／Ｄ値）変換表を示す説明図である。
【００３２】
前記マスタマイコン２４は、図３に示すように、前記チューナ受信機１１から得られるＳメータをＡ／Ｄ値に変換し、このＡ／Ｄ値に基づいて表示データを選択し、この表示データを表示マイコン２３に伝送するものである。
【００３３】
例えばマスタマイコン２４が、図３に示すように、前記チューナ受信機１１からの１５ｄＢ以下の電界強度（Ｓメータ）を検出すると、この電界強度に対応するＡ／Ｄ値を“０〜３９”と判断し、このＡ／Ｄ値に対応する表示データ“１”を表示マイコン２３に伝送する。この表示マイコン２３は、この表示データ“１”に対応する表示画像データ格納アドレスを表示ＲＯＭ２２に伝送する。この表示ＲＯＭ２２は、表示画像データ格納アドレスに対応する画像データを検索し、この画像データを、表示ドライバ２１を介して、前記液晶表示部２０のＳメータ表示部２０ａに、図２（ｂ）に示すように１個のメータを点灯表示するようにした。
【００３４】
また、マスタマイコン２４は、図３に示すように、前記チューナ受信機１１からの３９〜４４ｄＢ以内の電界強度（Ｓメータ）を検出すると、この電界強度に対応するＡ／Ｄ値を“１４２〜１５８”と判断し、このＡ／Ｄ値に対応する表示データ“８”を表示マイコン２３に伝送する。この表示マイコン２３は、この表示データ“８”に対応する表示画像データ格納アドレスを表示ＲＯＭ２２に伝送する。この表示ＲＯＭ２２は、表示画像データ格納アドレスに対応する画像データを検索し、この画像データを、表示ドライバ２１を介して、前記Ｓメータ表示部２０ａに、図２（ｃ）に示すように５個のメータを点灯表示するようにした。
【００３５】
次に本実施の形態に示すオーディオ装置１０の動作について説明する。図４は本実施の形態に示すオーディオ装置１０におけるＳメータ監視処理におけるマスタマイコン２４の処理動作を示すフローチャートである。
【００３６】
図４に示すＳメータ監視処理とは、現在受信中の放送電波の電界強度に対応する表示データを表示マイコン２３に伝送する処理である。
【００３７】
図４に示すようにマスタマイコン２４は、現在モードがチューナ受信機１２を主体とするチューナモードであるか否かを判定する（ステップＳ１１）。現在モードがチューナモードであれば、現在受信中の放送電波に対応するＳメータを検出し、このＳメータを図３に示すようにＡ／Ｄ値に変換し（ステップＳ１２）、このＡ／Ｄ値に対応する表示データ（０〜Ｆ）に変換し（ステップＳ１３）、この表示データが前回の表示データと一致しているか否かを判定する（ステップＳ１４）。
【００３８】
今回の表示データが前回の表示データと一致していれば、表示データに変化ありと判断し、今回の表示データが図３に示すように“１〜Ｆ”の範囲内であるか否かを判定する（ステップＳ１５）。今回の表示データが１〜Ｆの範囲内であれば、リフレッシュタイマをセットし（ステップＳ１６）、このリフレッシュタイマがタイムアウトしたか否かを判定する（ステップＳ１７）。
【００３９】
このリフレッシュタイマがタイムアウトしたのであれば、今回の表示データを表示マイコン２３に伝送し（ステップＳ１８）、このリフレッシュタイマをリセットし（ステップＳ１９）、このＳメータ監視処理の処理動作を終了する。
【００４０】
また、ステップＳ１４にて今回の表示データが前回の表示データと一致していれば、表示データに変化なしと判断し、今回の表示データを表示マイコン２３に伝送するべく、ステップＳ１８に移行する。
【００４１】
また、ステップＳ１５にて今回の表示データが“１〜Ｆ”の範囲内になければ、又はステップＳ１７にてリフレッシュタイマがタイムアウトしたのでなければ、このＳメータ監視処理の処理動作を終了する。
【００４２】
つまり、前記リフレッシュタイマにおいては、例えば１５００ｍｓｅｃを計時するのであるが、今回の表示データが前回表示データと同一でない場合には、今回の表示データを表示マイコン２３に伝送して計時中のリフレッシュタイマをリセットし、今回の表示データが前回表示データと同一の場合には、今回の表示データが“１〜Ｆ”の範囲内であるときにかぎり、リフレッシュタイマがタイムアップした時点で今回の表示データを表示マイコン２３に伝送するものである。
【００４３】
また、今回の表示データが前回の表示データと同一の場合には、今回の表示データが“１〜Ｆ”の範囲内でなくても、つまり現在受信中の放送電波に関わるＳメータが低い場合には、表示マイコン２３への表示データの伝送を行わない。
【００４４】
図５は本実施の形態に示すオーディオ装置１０の表示データ受信処理における表示マイコン２３の処理動作を示すフローチャートである。
【００４５】
図５に示す表示データ受信処理は、図４に示すステップＳ１８にて伝送されたマスタマイコン２４からの表示データを表示マイコン２３が受信し、この表示データに対応する表示画像データ格納アドレスに関わる、表示ＲＯＭ２２への伝送タイミングを制御する処理である。
【００４６】
図５に示すように表示マイコン２３は、現在モードがチューナモードであるか否かを判定する（ステップＳ２１）。現在モードがチューナモードであれば、図４に示すステップＳ１８にてマスタマイコン２４から伝送された今回の表示データが前回の表示データと一致しているか否かを判定する（ステップＳ２２）。この今回の表示データが前回の表示データと一致していなければ、表示データに変化ありと判断し、今回表示データに対応する表示ＲＯＭ２２の表示画像データ格納アドレスを求め（ステップＳ２３）、この表示画像データ格納アドレスを表示ＲＯＭ２２に伝送し（ステップＳ２４）、この表示データ受信処理の処理動作を終了する。
【００４７】
ステップＳ２１にて現在モードがチューナモードでなければ、又はステップＳ２２にて今回表示データが前回表示データと一致しているのであれば、この表示データ受信処理の処理動作を終了する。
【００４８】
図６は、図４及び図５の処理動作にあってマスタマイコン２４の通信動作Ａ、及び表示マイコン２３の通信動作Ｂを示すタイミングチャートである。
【００４９】
図６に示すマスタマイコン２４の通信動作Ａは、図４に示すステップＳ１８にてマスタマイコン２４から表示マイコン２３に表示データを伝送し（ステップＳ３１）、マスタマイコン２４側で表示データに変化がなくても１５００ｍｓｅｃ毎に表示マイコン２３へ表示データを伝送する（ステップＳ３２）。
【００５０】
図６に示す表示マイコン２３の通信動作Ｂは、表示データに変化があったときのみ、この表示データに対応する表示画像データ格納アドレスを表示ＲＯＭ２２に伝送し（ステップＳ３３）、表示データに変化がない場合には、この表示ＲＯＭ２２への通信動作を行わない（ステップＳ３４）。
【００５１】
このように本実施の形態によれば、表示マイコン２３側で表示データに変化があった場合にのみ、表示データに対応した表示画像データ格納アドレスを表示ＲＯＭ２２に伝送するようにしたので、結果として、例えばＳメータが１５ｄＢ以下の場合には表示データに変化がないために、表示ＲＯＭ２２への通信動作を行わないので、干渉ノイズの発生を防止することができる。
【００５２】
また、上記実施の形態においては、チューナモード中のＳメータ表示部２０ａに関わる表示内容を表示させた場合における干渉ノイズ発生防止に関わる動作について説明したが、例えばチューナモード中に動画表示等のスペアナ表示を行った場合における干渉ノイズ発生防止に関わる動作について説明する。図７はチューナモード中にスペアナ表示を行う場合の表示データ受信処理における表示マイコン２３の処理動作を示すフローチャートである。
【００５３】
まず、表示マイコン２３には、予めチューナ受信機１２に影響を及ぼす受信周波数、例えば８０．１ＭＨｚや８１．１ＭＨｚを記憶しておく。
【００５４】
図７に示すように表示マイコン２３は、現在モードがチューナモードであるか否かを判定する（ステップＳ４１）。現在モードがチューナモードであれば、現在受信中の受信周波数が記憶中の、干渉ノイズを発生しやすい受信周波数であるか否かを判定する（ステップＳ４２）。
【００５５】
現在受信中の受信周波数が干渉ノイズが発生しやすい受信周波数であれば、今回の表示データが“１”であるか否かを判定する（ステップＳ４３）。今回の表示データが“１”であれば、現在受信中の放送電波に関わる電界強度が１５ｄＢ以下であると判断し、表示ＲＯＭ２２への表示画像データ格納アドレスの通信速度を“ＬＯＷスピード”、例えば２０ｍｓｅｃに設定し（ステップＳ４４）、今回の表示データに対応する表示画像データ格納アドレスを求め（ステップＳ４５）、現在設定中の通信速度に基づいて、表示画像データ格納アドレスを表示ＲＯＭ２２に伝送し（ステップＳ４６）、この表示データ受信処理の処理動作を終了する。
【００５６】
また、ステップＳ４２にて現在受信中の受信周波数が干渉ノイズが発生しやすい周波数でなければ、又はステップＳ４３にて今回の表示データが“１”でなければ、表示ＲＯＭ２２への表示画像データ格納アドレスの通信速度を“通常スピード”、例えば１３ｍｓｅｃに設定し（ステップＳ４７）、ステップＳ４５の処理動作に移行する。
【００５７】
図８は、図４及び図７の処理動作にあってマスタマイコン２４の通信動作Ａ、及び表示マイコン２３の通信動作Ｂを示すタイミングチャートである。
【００５８】
図８に示すマスタマイコン２４の通信動作Ａは、図４に示すステップＳ１８にてマスタマイコン２４から表示マイコン２３に表示データを伝送し（ステップＳ５１）、マスタマイコン２４側で表示データに変化がなくても１５００ｍｓｅｃ毎に表示マイコン２３へ表示データを伝送する（ステップＳ５２）。
【００５９】
図８に示す表示マイコン２３の通信動作Ｂは、現在受信中の受信周波数が干渉ノイズの発生しやすい周波数でない場合、又は現在受信中の受信周波数が干渉ノイズの発生しやすい周波数であり、しかも今回の表示データが“１”でない、すなわちＳメータが１５ｄＢよりも大きい場合には、前記表示ＲＯＭ２２への通信速度を通常スピード（１３ｍｓｅｃ）に設定して、この表示画像データ格納アドレスを伝送する（ステップＳ５３）。
【００６０】
また、表示マイコン２３の通信動作Ｂは、現在受信中の受信周波数が干渉ノイズの発生しやすい周波数であり、しかも今回の表示データが“１”である、すなわち現在受信中のＳメータが１５ｄＢ以下の場合には、前記表示ＲＯＭ２２への通信速度をＬＯＷスピード（２０ｍｓｅｃ）に設定して、この表示画像データ格納アドレスを伝送する（ステップＳ５４）。
【００６１】
図７に示す表示データ受信処理によれば、現在受信中の受信周波数が干渉ノイズの発生しやすい周波数でない場合、又は現在受信中の受信周波数が干渉ノイズの発生しやすい周波数であり、しかも現在受信中のＳメータが１５ｄＢよりも大きい場合には、前記表示ＲＯＭ２２への通信速度を通常スピードに設定すると共に、前記現在受信中の受信周波数が干渉ノイズの発生しやすい周波数であり、しかも現在受信中のＳメータが１５ｄＢ以下の場合には、前記表示ＲＯＭ２２への通信速度をＬＯＷスピードに設定するようにしたので、チューナモード中にスペアナ表示を行ったとしても、干渉ノイズを防止することができる。
【００６２】
【発明の効果】
上記のように構成された本発明における請求項１記載のオーディオ装置によれば、制御データに変化があると判定されると、この制御データを制御データ伝送手段を介してスレーブマイコンに伝送すると共に、前記制御データに変化がないと判定されると、この制御データを所定時間経過後に制御データ伝送手段を介してスレーブマイコンに伝送すると共に、前記制御データに変化がないと判定され、さらには現在受信中の電界強度が所定値以下と判定されると、制御データ伝送手段による制御データの伝送動作を禁止するようにし、前記スレーブマイコンは、前記マスタマイコンからの制御データに変化があると判定されたときにのみ、制御データに基づいてスレーブ制御データを生成するようにしたので、部品コスト及び作業手間をかけることなく、スレーブマイコン及びスレーブ機器間の干渉ノイズを確実に低減することができる。
【００６３】
また、本発明における請求項２記載のオーディオ装置によれば、制御データに変化があると判定されると、この制御データを制御データ伝送手段を介してスレーブマイコンに伝送すると共に、前記制御データに変化がないと判定されると、この制御データを所定時間経過後に制御データ伝送手段を介してスレーブマイコンに伝送すると共に、前記制御データに変化がないと判定され、さらには現在受信中の電界強度が所定値以下と判定されると、制御データ伝送手段による制御データの伝送動作を禁止するようにし、スレーブマイコンは、現在受信中の放送電波が干渉ノイズの受けやすい所定受信周波数であると判定されると、前記制御データ伝送手段からの制御データに基づくスレーブ制御データを、通常よりも遅い通信速度でスレーブ機器に伝送するようにしたので、部品コスト及び作業手間をかけることなく、スレーブマイコン及びスレーブ機器間の干渉ノイズを確実に低減することができる。
【図面の簡単な説明】
【図１】本発明の電子機器の実施の形態に示すオーディオ装置内部の概略構成を示すブロック図である。
【図２】本実施の形態に示すオーディオ装置の液晶表示部の表示内容を示す説明図である。
ａ）液晶表示部の表示内容
ｂ）表示データ“１”に関わるＳメータ表示部の表示内容
ｃ）表示データ“８”に関わるＳメータ表示部の表示内容
【図３】本実施の形態に示すオーディオ装置のＳメータ変換表を示す説明図である。
【図４】本実施の形態に示すオーディオ装置のＳメータ監視処理におけるマスタマイコンの処理動作を示すフローチャートである。
【図５】本実施の形態に示すオーディオ装置の表示データ受信処理における表示マイコンの処理動作を示すフローチャートである（チューナモード中のＳメータ表示時）。
【図６】図４に示すマスタマイコン側の通信動作及び図５に示す表示マイコン側の通信動作を示すタイミングチャートである。
【図７】本実施の形態に示すオーディオ装置の表示データ受信処理における表示マイコンの処理動作を示すフローチャートである（チューナモード中のスペアナ表示時）。
【図８】図４に示すマスタマイコン側の通信動作及び図７に示す表示マイコン側の通信動作を示すタイミングチャートである。
【図９】従来技術のオーディオ装置内部の概略構成を示すブロック図である。
【図１０】従来技術のオーディオ装置における干渉ノイズ低減機能を示す説明図である。
ａ）表示マイコン及びマスタマイコン間の状態を示す説明図である。
ｂ）マスタマイコン及び表示マイコン間に配置されたフィルタ回路内部の概略構成を示す回路図である。
【符号の説明】
１０  オーディオ装置
１２  チューナ受信機
２２  表示ＲＯＭ（スレーブ機器）
２３  表示マイコン（スレーブマイコン；スレーブ側変化判定手段、
スレーブ側制御手段、記憶手段、周波数監視手段）
２４  マスタマイコン（電界強度検出手段、電界強度判定手段、
制御データ伝送手段、マスタ側変化判定手段、マスタ側制御手段）
【図１】
0003999336.tif 000002
【図２】
0003999336.tif 000003
【図３】
0003999336.tif 000004
【図４】
0003999336.tif 000005
【図５】
0003999336.tif 000006
【図６】
0003999336.tif 000007
【図７】
0003999336.tif 000008
【図８】
0003999336.tif 000009
【図９】
0003999336.tif 000010
【図１０】
0003999336.tif 000011